(57)【特許請求の範囲】
【請求項１】
釣用リールの脚部を載置する載置面が形成されたシート本体と、シート本体に設けられ、上記脚部の一方を収容し得る固定フードと、固定フードに対して近接／離反可能に設けられ、上記脚部の他方を収容し得る移動フードとを有し、固定フードと移動フードとの間で上記脚部を挟持し得るリールシートであって、
上記載置面は、上記シート本体の外周面の一部により構成され且つ上記シート本体の長手方向に沿って５０ｍｍ〜１３０ｍｍの長さに設定され、
上記シート本体は、上記載置面に隣接して長手方向に沿って係合溝が設けられており、
上記移動フードは、上記係合溝と摺動可能に係合する係合凸部を備えており、
上記係合溝は、上記載置面の縁部に連続して一対設けられており、
上記移動フードは、フレームと、フレーム内部に配設され、上記脚部の他方を囲繞するコア部材とを有し、
コア部材は樹脂により構成されており、上記係合凸部はコア部材と一体的に形成されていることを特徴とするリールシート。
【請求項２】
請求項１記載のリールシートにおいて、
上記載置面は外方へ湾曲された湾曲凸面に形成されており、当該湾曲凸面の曲率半径が１２ｍｍ〜１５ｍｍに設定されていることを特徴とするリールシート。
【請求項３】
請求項１又は２に記載のリールシートにおいて、
上記載置面に連続して上記シート本体の長手方向に沿ってねじ軸部が形成されており、
上記移動フードを上記固定フード側へ移動させる締結ナットが上記ねじ軸部に螺合されていることを特徴とするリールシート。
【請求項４】
細長棒状の釣竿本体と、
釣竿本体を支持するグリップと、
グリップの中間部分に形成された上記請求項１ないし３のいずれかに記載のリールシートとを備えたことを特徴とする釣竿。
【発明の詳細な説明】
【０００１】
【発明の属する技術の分野】
この発明は、釣竿に装着して使用するリールを支持するためのリールシートの構造に関するものである。
【０００２】
【従来の技術および発明が解決しようとする課題】
図７は、従来の釣竿のリールシート部分を示す図である。
【０００３】
この釣竿１は、釣人が把持する部分であるグリップ２と、グリップ２に支持された釣竿本体３とを備えている。グリップ２は、フロントグリップ４およびリアグリップ５を備え、これらの間にリールシート６が設けられている。リールシート６は釣用リールを装着・固定するためのものであって、シート本体７，フロントフード８，リアフード９および締結ナット１０を備えている。なお、同図は、リールシート６を背面１１側から見た状態を示している。
【０００４】
締結ナット１０はリアフード９と一体的に設けられており、これらが、リアグリップ５に形成されたねじ軸部１２に螺合されている。これにより、締結ナット１０を回転させると、締結ナット１０と共にリアフード９が図中左右方向にスライドするようになっている。
【０００５】
釣用リールを釣竿１に装着するには、まず、釣用リールの脚部をシート本体７のリール載置面（上記背面１１と反対側の面）に当接させた状態で、締結ナット１０を回転させ、リアフード９をフロントフード８側へスライドさせる。これにより、両フード８，９の間に釣用リールの脚部が挟持され、釣用リールが固定される。
【０００６】
ところで、上記締結ナット１０はリアフード９に対して回転自在に設けられているが、締結ナット１０と共にリアフード９が回転してしまうのを防止するために回転止めの対策が講じられている。具体的には、リールシート６の背面側に長手方向に延びる細長の溝１３が設けられており、リアフード９はこの溝１３と係合する係合突起（図示せず）を備えている。このように係合突起と溝１３とを係合させることによって、リアフード９の回転止めを行うことができるが、この溝１３を設けたために、釣人が実釣においてリールシート６部分を把持した際に、指の内側部分が溝１３に食い込んで握り心地が悪いという不都合があった。
【０００７】
そこで、本発明は、釣用リールの脚部を挟持するフードの回り止めを達成しつつ、握り心地の良いリールシートを提供することである。
【０００８】
【課題を解決するための手段】
(1)  本願発明者は、上述の「リールシートの握り心地が悪い」という原因は、回り止めのための溝が細長形状であるという点、およびその溝が釣人がリールシートを把持したときに指に触れる位置に設けられている点に存在すると考え、これらの２つの原因のうちいずれか一方を無くすことができれば、上記目的を達成することができると考えた。
【００１４】
(2)  そこで、本願に係るリールシートは、釣用リールの脚部を載置する載置面が形成されたシート本体と、シート本体に設けられ、上記脚部の一方を収容し得る固定フードと、固定フードに対して近接／離反可能に設けられ、上記脚部の他方を収容し得る移動フードとを有し、固定フードと移動フードとの間で上記脚部を挟持し得るリールシートであって、上記載置面は、上記シート本体の外周面の一部により構成され且つ上記シート本体の長手方向に沿って５０ｍｍ〜１３０ｍｍの長さに設定され、上記シート本体は、上記載置面に隣接して長手方向に沿って係合溝が設けられており、上記移動フードは、上記係合溝と摺動可能に係合する係合凸部を備えており、上記係合溝は、上記載置面の縁部に連続して一対設けられており、上記移動フードは、フレームと、フレーム内部に配設され、上記脚部の他方を囲繞するコア部材とを有して構成すると共に、コア部材を樹脂により構成し、上記係合凸部をコア部材と一体的に形成することができることを特徴とするものである。
【００１５】
この構成によれば、シート本体の載置面に釣用リールの脚部を載置し、固定フードおよび移動フードによって当該脚部を挟持することによって、リールシートに釣用リールを固定することができる。このとき、上記載置面は、シート本体の外周面の一部により構成されているから、リールシートの載置面が形成された部分に、従来のリールシートに設けられていた溝や凹部が存在しない。
【００１６】
また、移動フードは、シート本体に設けられた係合溝に沿ってスライドするが、この係合溝は、上記載置面に隣接して形成されており、上記載置面が形成された部分に形成されていない。しかも、載置面の長さが５０ｍｍ〜１３０ｍｍの寸法に設定されることにより、一般に市販されている釣用リールのほぼすべてについて、その脚部を確実に載置面に載置することができる。
【００１７】
つまり、実釣時において釣人の手ないし指がリールシートと触れる部分は、専らシート本体の上記載置面が形成された部分であるところ、上記載置面に隣接して上記係合溝が設けられているから、実釣時において釣人の手ないし指が上記係合溝に触れることはない。そのため、釣人は、実釣時において、リールシートに凹部や溝等が形成されていることを実感することがない。
【００１８】
さらに、移動フードに設けられた係合凸部が上記係合溝と摺動可能に係合されているから、移動フードはシート本体に対してスライド自在であり、固定フードに対して近接し離反することができると共に、シート本体に対して回転してしまうのを防止することができる。
【００２０】
上記係合溝が上下載置面の縁部に連続して一対設けられているので、移動フードの回り止めを一対の係合溝で行うことになり、各係合溝を小さく（深さ、幅寸法を小さく）することができる。その結果、リールシートの外観を「溝」が形成されていないように構成することができ、デザイン的に優れたリールシートを提供することができる。さらに、移動フードに樹脂製のコア部材を備えることにより、上記係合凸部を簡単に形成することができるので、リールシートの製造コストが大幅に上昇することがない。
【００２１】
(3)  上述した載置面は外方へ湾曲された湾曲凸面に形成し、当該湾曲凸面の曲率半径を１２ｍｍ〜１５ｍｍに設定するのが好ましい。
【００２２】
このようにすれば、一般に市販されている釣用リールのほぼすべてについて、その脚部の底面をぴったりと載置面に当接させることができ、釣用リールをリールシートに確実に固定することができる。
【００２５】
また、上記載置面に連続して上記シート本体の長手方向に沿ってねじ軸部を形成し、上記移動フードを上記固定フード側へ移動させるための締結ナットを上記ねじ軸部に螺合させる構成とすることもできる。
【００２６】
この構成では、締結ナットを回転させることにより、釣用リールの脚部を固定フードと移動フードとの間で強固に挟持することができる。しかも、締結ナットを移動フードと別体に形成しているから、移動フードの外形寸法をコンパクトにすることができるという利点もある。
【００２７】
(4)  細長棒状の釣竿本体と、釣竿本体を支持するグリップとを有し、グリップの中間部分に上述した構成のリールシートを備えて釣竿を構成することができる。
【００２８】
このような釣竿では、上述した構成のリールシートを備えるから、移動フードの回り止めを実現しつつ握り心地の良い、きわめて使いやすいものとなる。
【００２９】
【発明の実施の形態】
以下、本発明の実施の形態について説明する。
＜第１の実施形態＞
図１は、本発明の第１の実施形態に係る釣竿の正面図である。
【００３０】
(1)  釣竿の概略構成とポイント
この釣竿２０は、たとえばルアーロッドとして構成されており、釣竿本体２１と、グリップ２２と、リールシート２３とを備えている。
【００３１】
グリップ２２は、実釣時において釣人が把持する部分であって、フロントグリップ２４およびリアグリップ２５を備えている。リールシート２３は、これらフロントグリップ２４とリアグリップ２５との間に設けられている。フロントグリップ２４およびリアグリップ２５は、たとえばコルク等により構成することができ、握りやすいように所定外径の円柱状に形成されている。
【００３２】
釣竿本体２１は、フロントグリップ２４側からグリップ２２の内部に挿通されて支持されている。釣竿本体２１は、細長棒状に形成され、たとえばカーボン繊維を筒状に形成する等、公知の要領で製造することができる。なお、図示していないが、釣竿本体２１の所要の位置には、釣糸を案内するガイド部材が適宜配設されている。
【００３３】
リールシート２３は、釣用のリール（図示せず）を装着し固定するためのものである。リールシート２３は、シート本体２６と、固定フード２７と、移動フード２８とを有している。移動フード２８は、固定フード２７に対して矢印２９の方向に沿ってスライドすることができるようになっている。このため、シート本体２６上にリールの脚部（図示せず）を載置し、移動フード２８を固定フード２７側に移動させることによって（具体的には、締結ナット３０，３１を回転させる）、両フード２８，２９間でリールの脚部を挟持し固定することができるようになっている。
【００３４】
本実施形態の特徴とするところはリールシート２３の構造にあり、シート本体２６の下縁部３２（外縁部）に凹部３３が形成されており、この凹部３３にリールの脚部が嵌め込まれるようになっている点、および移動フード２８が凹部３３と係合することにより、シート本体２６に対して回り止めがなされている点である。以下、詳しく説明する。
【００３５】
(2)  リールシート
図２は、釣竿２０の要部拡大斜視図であり、リールシート２３を下側から（上記下縁部３２側から）見た状態でのリールシート２３の構造を詳細に示している。また、図３は、図２におけるＡ−Ａ断面図である。
【００３６】
上述したようにリールシート２３は、シート本体２６と、一対のフード２７，２８とを有している。
【００３７】
シート本体２６は、二重の筒状に形成されており、内筒部材３４と、外筒部材３５とを備えている。
【００３８】
内筒部材３４は、図に示すような断面円形の部材であって、たとえばポリアミド、ポリブチレンテレフタレート等により形成することができる。この内筒部材３４の両端は、上記フロントグリップ２４およびリアグリップ２５に連結されている。上記釣竿本体２１は、この内筒部材３４に挿通され支持されている。
【００３９】
外筒部材３５は、たとえばアルミニウム、真鍮、ステンレス鋼等のほかプライウッド等により形成することができ、図に示すような断面Ｃ字状に形成されている。なお、外筒部材３５の材質はなんら限定される必要はないが、プライウッド等を採用することによって、リールシート２３自体を高級感のあるものに仕上げることができるという利点がある。
【００４０】
外筒部材３５は、全体として略円筒状に形成されているが、軸方向（長手方向）に沿って間欠部３６が形成されている。この間欠部３６は、外筒部材３５の径方向に貫通している。この外筒部材３５は、内筒部材３４の外側に嵌め込まれており、上記間欠部３６には、内筒部材３４の外周面が露出している。つまり、シート本体２６の下縁部３２には、軸方向に沿って延びる凹部３３が形成されている。そして、この凹部３３の底面にリールの脚部が載置されるようになっている。この凹部３３の底面を特に載置面３８と呼ぶ。
【００４１】
凹部３３の幅寸法ｄは、１３ｍｍ〜１７ｍｍに設定することができる。本実施形態では、１６．１ｍｍに設定されている。かかる寸法に設定することにより、一般に市販されているリールのほぼ全機種について、その脚部を凹部３３に嵌め込むことができる。したがって、リールシート２３は、汎用性の高いものとなる。
【００４２】
載置面３８の曲率半径Ｒは、１２ｍｍ〜１５ｍｍに設定するのが好ましい。その理由は次の通りである。一般にリールの脚部の底面は、当該脚部の装着し易さ等を考慮して湾曲面に形成されており、その曲率半径は機種によって異なっている。しかし、載置面３８の曲率半径を上記寸法に設定することにより、一般に市販されているリールのほぼ全機種について、その脚部の底面をぴったりと載置面３８に当接させることができる。つまり、一般に市販されているリールのほぼすべてについて、リールシート２３に確実に固定することができるという利点があるからである。
【００４３】
また、シート本体２６の後端部には、ねじ軸部３９が設けられている。具体的には、上記外筒部材３５のうち後方部分の外周面に雄ねじが形成されている。そして、このねじ軸部３９に上記締結ナット３０，３１が螺合されている。なお、外筒部材３５のうち、このねじ軸部３９が形成される部位については、特に金属（アルミニウム等）により構成することができる。これらねじ軸部３９および締結ナット３０，３１の作用効果については、後に詳述する。
【００４４】
次に、移動フード２８は、シート本体２６の後端側に嵌め込まれている。移動フード２８は、フレーム４０とコア部材４１とを有している。フレーム４０は、たとえばアルミニウム、真鍮、ステンレス鋼等により構成することができ、図に示すような円筒状に形成されている。フレーム４０を金属により構成することにより、高級感のあるものに仕上げることができる。
【００４５】
コア部材４１は樹脂により構成されており、フレーム４０の内面を覆うように配設されている。コア部材４１は、略円環状に形成されており、本体部４２と係合凸部４３とを備えている。これら本体部４２および係合凸部４３は一体的に形成されている。本体部４２は薄肉のリング状に形成されており、係合凸部４３は、本体部４２からその径方向へ突出するように形成されている。そして、この係合凸部４３の外形形状は、上記凹部３３の内面形状に対応されており、係合凸部４３は、凹部３３にぴったりと嵌め込まれるようになっている。したがって図に示すように、移動フード２８をシート本体２６に嵌め込んだ状態では、係合凸部４３と凹部３３とが係合し、移動フード２８は、シート本体２６の長手方向（矢印２９の方向）に沿ってスライド自在となっている。
【００４６】
また、コア部材４１は、載置面３８に載置されたリールの脚部を囲繞するためのものである。コア部材４１を設けることによって、リールの脚部とフレーム４０とが直接接触して、両者に傷等がつくのを防止することができる。そのため、図示していないが、コア部材４１には、リールの脚部を挿入するための挿入室が設けられている。挿入室の具体的内面形状は、従来から採用されている形状を採用することができる。
【００４７】
一方、固定フード２７は、シート本体２６の先端部に嵌め込まれ固定されている。固定フード２７も移動フード２８と同様に、フレーム４４とコア部材（図示せず）とを有している。フレーム４０は、移動フード２８のフレーム４０と同様の材質、形状に構成することができる。もっとも、リールシートの仕様によっては、材質や形状を設計変更することができるのは勿論である。また、上記コア部材についても移動フード２８のコア部材４１と同様の構成とすることができる。ただし、固定フード２７はシート本体２６に対して固定されているから、上述した係合凸部４３を形成する必要はない。
【００４８】
(3)  釣竿へのリール装着要領
この釣竿２０では、次のようにしてリールを装着する。
【００４９】
図２を参照して説明する。まず、締結ナット３０，３１を所定方向（反時計方向）に回転させて締結ナット３０，３１をシート本体２６の後端方向へ移動させる。これにより、移動フード２８を同方向へスライドさせることができ、移動フード２８と固定フード２７との距離を大きくすることができる。
【００５０】
次に、シート本体２６の載置面３８にリールの脚部を載置し、この状態で締結ナット３０を時計方向に回転させる。これにより、移動フード２８は締結ナット３０によって押圧されるようにして固定フード２７側へスライドする。締結ナット３０をさらに締め込んでいくと、リールの脚部の一方側が固定フード２７の挿入室に挿入されると共に他方側が移動フード２８の挿入室に挿入され、両フード２７，２８の間でリールの脚部が挟持される。このとき、締結ナット３１をも同時に締め込むことによって、締結ナット３０が固定される。つまり、締結ナット３１は、締結ナット３０のロックナットとして機能し、これにより、リールは釣竿２０に確実に固定される。また、締結ナット３０，３１を再び上記所定方向に回転させることにより、移動フード２８を固定フード２７から離反させ、リールを取り外すことができる。なお、締結ナット３０，３１の外周面には、滑り止めのためのローレットを形成することもできる。
【００５１】
本実施形態では、上記載置面３８は、シート本体２６に設けられた凹部３３の底面により構成されているから、リールをシート本体２６に装着した状態では、リールの脚部は凹部３３内に嵌め込まれ、当該凹部３３は、リールの脚部によって埋められた状態となる。
【００５２】
実釣時においては、釣人の手ないし指がリールシート２３と触れる部分は、専らシート本体２６の載置面３８が形成された部分である。ところが、上述のように上記凹部３３がリールの脚部によって埋められることになるので、釣人の手ないし指が凹部３３に触れることはない。したがって釣人は、実釣時において、リールシート２３に凹部や溝等が形成されていることを実感することがない。
【００５３】
また、移動フード２８の係合凸部４３が上記凹部３３に嵌め込まれた状態で係合しているから、移動フード２８は、シート本体２６に沿って固定フード２７に対して近接または離反が自在であると共に、締結ナット３０を締め込んだ場合であってもシート本体２６に対して回転してしまうのを防止することができる。
【００５４】
その結果、移動フード２８の回り止めを行いつつ、リールシート２３部分の握り心地が良く、快適な釣りを行うことができる。
【００５５】
さらに、シート本体６の凹部３３の底面によって上記載置面３８を構成しているから、この載置面３８は、シート本体２６の他の部分に比べてリールシート２３の中心側に位置することになる。したがって、リールシート２３に装着したリールを、当該リールシート２３の中心側へ近づけることができるという利点がある。
【００５６】
また、本実施形態では、移動フード２８にコア部材４１を備えているが、このコア部材４１は樹脂により一体的に成形することができる。したがって、上記係合凸部４３を簡単に形成することができ、回り止めとしての係合凸部４３を安価に構成することができ、リールシート２３の製造コストが大幅に上昇することはない。
【００５７】
加えて、本実施形態では、移動フード２８をスライドさせるために、移動フード２８とは別体の締結ナット３０，３１を採用しているので、移動フード２８の外形寸法をコンパクトにすることができるという利点もある。
＜第２の実施形態＞
次に、本発明の第２の実施形態について説明する。
【００５８】
図４は、本発明の第２の実施形態に係る釣竿の正面図である。また、図５は当該釣竿の要部拡大斜視図であって、リールシート５３を下側から見た状態でのリールシート５３の構造を詳細に示している。また、図６は、図５におけるＢ−Ｂ断面図である。
【００５９】
本実施形態に係る釣竿２０が上記第１の実施形態と異なるところは、リールシートの構造にあり、具体的には、上記第１の実施形態ではシート本体２６に凹部３３（図２参照）を設けてその底面によってリールの載置面３８を構成したのに対し、本実施形態では、図５に示すように、シート本体５６の外周面によってリールの載置面６８を構成し、且つ載置面６８に隣接して軸方向（長手方向）に沿って一対の係合溝６３ａ、６３ｂが設けられている点である。なお、本実施形態に係る釣竿のその他の構成については、上記第１の実施形態に係る釣竿２０と同様であるので、同様の参照符号を付してその説明を省略する。
【００６０】
リールシート５３は、シート本体５６と、一対のフード２７，２８とを有している。シート本体５６は筒状に形成されており、ベース部材６４とカバー部材６５とを備えている（図６参照）。本実施形態では、シート本体５６をこれら２つの部材により構成しているが、これらを一体的に形成することができるのは勿論である。
【００６１】
ベース部材６４は、フロント部６４ａとリア部６４ｂとに分離されており、フロント部６４ａはたとえばポリアミド、ポリブチレンテレフタレート等により形成し、リア部６４ｂはアルミニウム等の金属により形成することができる。なお、このリア部６４ｂの外周面には雄ねじが形成されており、第１の実施形態で示したねじ軸部３９（図２参照）として構成されている。このねじ軸部３９には、締結ナット３０，３１が螺合されている。フロント部６４ａおよびリア部６４ｂは、同一の断面形状に形成されており、図５に示しような単一のベース部材６４を構成している。もっとも、ベース部材６４を同一の材料により構成することができるのは勿論である。
【００６２】
ベース部材６４は、図６に示すように断面が略Ｃ字状に形成されており、その上部に間欠部が設けられている。カバー部材６５は板状に形成されており、間欠部に嵌め込まれるようにして取り付けられている。両者の取り付けは、たとえば接着剤等により固着させることができる。このカバー部材６５もベース部材６４に対応されて二分割されており、フロント部６５ａとリア部６５ｂとを有しているが、これらを一体的に形成することもできる。
【００６３】
ベース部材６４に取り付けられたカバー部材６５は、その上面によってシート本体５６の上面（外周面の一部）を構成している。そして、この上面がリールの脚部を載置する載置面６８を構成している。また、載置面６８の長手方向寸法Ｌは、５０ｍｍ〜１３０ｍｍに設定することができる。本実施形態では、１１９ｍｍに設定されている。かかる寸法に設定することにより、一般に市販されているリールのほぼすべてについて、その脚部を確実に載置面６８に載置することができ、さらに、リールシート５３部分が不必要に大きな寸法となるのを防止してコンパクトに形成することができるという利点がある。なお、載置面６８の曲率半径Ｒは、第１の実施形態と同様の寸法に設定することができ、載置面６８の幅寸法ｄも第１の実施形態における凹部３３（図３参照）の幅寸法ｄと同様の寸法に設定することができる。
【００６４】
上述した係合溝６３ａ，６３ｂは、カバー部材６５のリア部６５ｂに設けられている。具体的には、係合溝６３ａ，６３ｂは、上記載置面６８に隣接し、且つリールシート５３の軸方向（長手方向の後方側）に沿って形成されている。係合溝６３ａ，６３ｂの機能については後述するが、その内面形状は特に限定されず、微小な凹部を形成すれば十分である。
【００６５】
また、固定フード２７および移動フード２８は、上記第１の実施形態で示したものと同様の構成である。ただし、移動フード２８については、本実施形態では第１の実施形態で示した凹部３３が設けられていないので、コア部材７１の形状が第１の実施形態に係るコア部材４１と異なっている。すなわち、コア部材７１は、円環状に形成された本体部７２と、これに一体的に形成された係合凸部７３とを有している。この係合凸部７３は、具体的には微小な突片により構成されており、本体部７２の中心方向へ向かって突設されている。係合凸部７３は、上記係合溝６３ａ，６３ｂにぴったりと嵌合することができ、且つ係合溝６３ａ，６３ｂに対して摺動自在となっている。このため、移動フード２８全体がシート本体５６に対して軸方向に沿ってスライド自在となっている。
【００６６】
本実施形態に係るリールシート５３では、上記第１の実施形態に係るリールシート２３と同様の要領でリールを装着することができる。
【００６７】
特に本実施形態では、載置面６８がカバー部材６５の上面（すなわちシート本体５６の外周面の一部）により構成されているから、リールシート５６の当該載置面６８が形成された部分に、従来のリールシートに設けられていた溝や凹部が存在しない。また、移動フード２８は、係合溝６３ａ，６３ｂに沿ってスライドするが、この係合溝６３ａ，６３ｂは、載置面６８に直接形成されておらず、載置面６８に隣接して形成されている。
【００６８】
したがって、実釣時において釣人の手ないし指がリールシート５３と触れる部分は、専らシート本体５６の載置面６８が形成された部分であるから、載置面６８に直接係合溝６３ａ、６３ｂやその他の凹部等が設けられていないので、実釣時において釣人の手ないし指が係合溝６３ａ，６３ｂに触れることはない。これにより、実釣時において釣人がリールシート５３部分を把持したとしても、非常に握り心地の良いものとなる。
【００６９】
さらに、移動フード２８に設けられた係合凸部７３が係合溝６３ａ，６３ｂと摺動可能に係合されているから、移動フード２８はシート本体５６に対してスライド自在であると共に、リールの脚部を固定フード２７との間で強固に挟持するために締結ナット３０を締め込んだ場合であっても、シート本体５６に対して回転してしまうのを確実に防止することができる。
【００７０】
また、本実施形態では、係合溝６３ａ，６３ｂは、載置面の縁部６８ａに連続して一対設けられている。つまり、移動フード２８の回り止めを一対の係合溝６３ａ，６３ｂで行うことになり、「回り止め」という機能を発揮させるために、それぞれの寸法（深さや、幅寸法等）を小さくすることができる。
【００７１】
なぜなら、移動フード２８の回り止めを達成するためには、締結ナット３０を締め付けた際に発生する移動フード２８の回転モーメントが係合凸部７３に負荷として作用する。このとき、この負荷を単一の係合凸部により負担するよりも一対の係合凸部７３により負担するほうが、各係合凸部７３に作用する負荷が小さくなる。このため、係合凸部７３が嵌め込まれる係合溝６３ａ，６３ｂも小さくすることができる。
【００７２】
さらに、係合溝６３ａ，６３ｂを載置面の縁部６８ａに連続して設けることにより、仮に釣人が係合溝６３ａ，６３ｂを設けた部位を握ったとしても、手や指の内側に係合溝６３ａ，６３ｂが触れにくい。
【００７３】
その結果、リールシート５３の握り心地が良くなることに加えて、リールシート５３の外観において、「溝」等が形成されていないように構成することができ、デザイン的に優れたリールシートを提供することができる。
【００７４】
【発明の効果】
以上のように本発明によれば、移動フードがシート本体に設けられた凹部ないし係合溝と係合しているので、移動フードの回り止めを確実に行うことができる。しかも、これら凹部ないし係合溝は、実釣時において釣人の手ないし指と接触することのない位置に設けられているから、リールシートの握り心地をきわめて良いものとすることができる。
【図面の簡単な説明】
【図１】本発明の第１の実施形態に係る釣竿の正面図である。
【図２】本発明の第１の実施形態に係る釣竿の要部拡大斜視図である。
【図３】図２におけるＡ−Ａ断面図である。
【図４】本発明の第２の実施形態に係る釣竿の正面図である。
【図５】本発明の第２の実施形態に係る釣竿の要部拡大斜視図である。
【図６】図５におけるＢ−Ｂ断面図である。
【図７】従来の釣竿のリールシート部分を示す図である。
【符号の説明】
２０  釣竿
２１  釣竿本体
２２  グリップ
２３，５３  リールシート
２４  フロントグリップ
２５  リアグリップ
２６  シート本体
２７  固定フード
２８  移動フード
３０  締結ナット
３２  下縁部
３３  凹部
３４  内筒部材
３５  外筒部材
３７  凹部
３８  載置面
３９  ねじ軸部
４０  フレーム
４１  コア部材
４３  係合凸部
５６  シート本体
６３ａ，６３ｂ  係合溝
６８  載置面
６８ａ  縁部
７１  コア部材
７３  係合凸部
Ｒ  載置面の曲率半径
Ｌ  載置面の長さ
ｄ  載置面の幅寸法
【図１】
0004037159.tif 000002
【図２】
0004037159.tif 000003
【図３】
0004037159.tif 000004
【図４】
0004037159.tif 000005
【図５】
0004037159.tif 000006
【図６】
0004037159.tif 000007
【図７】
0004037159.tif 000008